(57)【要約】【課題】  従来の磁気センサーに関しては、感度の限界があるため、微小電流、例えばｎＡ級の漏洩電流に関しては、検出できない問題点がある。また、従来の検出方法において、かけられた交流電流により電極間に大きく分布した磁場が発生してしまい、結局漏洩電流による磁場の変動がはっきり見えなくなる。【解決手段】  ＮＶＣを含有する磁気センサー及びベクトルポテンシャル装置を備える微小電流検出装置。そこで、微小の漏洩電流も検出でき、磁気センサーとしての感度を高めることができる微小電流検出装置が得られる。【選択図】  図１
2019184296.tif 000002
【特許請求の範囲】
【請求項１】
ＮＶＣを含有する磁気センサー及びベクトルポテンシャル装置を備える微小電流検出装置。
【請求項２】
前記ＮＶＣを含有する磁気センサーは、ＮＶＣを含有する基板を含むセンシング部、入射装置、出射検出装置及び磁場発生装置を備えていること
を特徴とする請求項１記載の微小電流検出装置。
【請求項３】
上記ベクトルポテンシャル装置は、検査対象を囲む形状に形成されていること
を特徴とする請求項１または２記載の微小電流検出装置。

【発明の詳細な説明】
【技術分野】
【０００１】
本発明は、微小電流検知装置に関するものである。
【背景技術】
【０００２】
近年、窒素格子欠陥（ＮＶＣ：Nitrogen  Vacancy  Center）を含有する構造に関しては、磁気センサー分野における応用が、注目されている。
【０００３】
通常、基底状態の電子が緑光で励起された後、基底状態に戻る際に赤光を発する。一方、例えば、ダイヤモンド構造中の窒素と格子欠陥（ＮＶＣ：Nitrogen  Vacancy  Center）中の電子は、２．８７ＧＨｚ前後の高周波磁場の照射により、基底状態中の３つのサブレベルの中で一番低いレベル（ｍｓ＝０）から、基底状態中のそれより高いエネルギー軌道のレベル（ｍｓ＝±１）に遷移する。その状態の電子が緑光で励起されると、無輻射で基底状態中の３つのサブレベルの中で一番低いレベル（ｍｓ＝０）に戻るため発光量が減少し、この光検出より、高周波磁場により磁気共鳴が起こったかどうかを知ることができる。
【０００４】
ある測定系では、ダイヤモンドサンプルの下に、スプリットリング式の共振器、あるいは、コイルまたはワイヤ式アンテナが設置され、その共振器からサンプルに対して、２．８７ＧＨｚ前後のマイクロ波領域の高周波磁場が照射され、高周波磁場および励起光を掃引して、検出装置により電子からの赤色光の減少点を検出することにより、上述のダイヤモンド構造の近くにある細胞の情報を獲得している（例えば非特許文献１参照）。
【０００５】
また、電池分野において、特に自動車や民生分野によく使用されているリチウム電池などに関しては、電極の剥離や、過酷の使用環境により、電極間の漏電や、短絡することが予想される。このような状況を常に監視するため、例えば、磁気センサーを利用して電池を破壊せず、漏洩電流を検出する装置が開発された。
【先行技術文献】
【特許文献】
【０００６】
【特許文献１】特開２０１６−０９０５８１
【非特許文献】
【０００７】
【非特許文献１】Kento Sasaki, et. al., 「Broadband, large-area microwave antenna for optically-detected magnetic resonance of nitrogen-vacancy centers in diamode」REVIEW OF SCIENTIFIC INSTRUMENTS 87, 053904 (2016)
【発明の概要】
【発明が解決しようとする課題】
【０００８】
しかしながら、上述に利用された磁気センサーに関しては、感度の限界があるため、微小電流、例えばｎＡ級の漏洩電流に関しては、検出できない問題点がある。
【０００９】
また、ＮＶＣなどの磁気センサーの感度は、１／ｆノイズの影響により、より周波数領域で、高い感度を持つことが知られており、より効率的に測定感度を上げるためには、被測定場にＡＣの変調をかけることが、有効である。
また、図４に示すように、電極１５０に電源１３０から交流電流が供給されている場合、電極１５０の上方に配置されている磁気検出素子１２０により、電極１５０間の漏洩電流が検出できるが、図５のシミュレーションの結果から、この交流電流により電極１５０間に大きく分布した磁場が発生してしまい、結局漏洩電流による磁場の変動がはっきり見えなくなることが分かった。言い換えれば、ｎＡ級の漏洩電流に関しては、従来の検出手法が、感度の向上の面においては限界がある。
【００１０】
本発明は、上記の問題に鑑みてなされたものであり、窒素格子欠陥を有する構造を用いて、検出感度を高めることができる微小電流検出装置を得ることを目的とする。
【課題を解決するための手段】
【００１１】
本発明に係る微小電流検出装置は、ＮＶＣを含有する磁気センサー及びベクトルポテンシャル装置を備える。
【発明の効果】
【００１２】
本発明によれば、微小の漏洩電流も検出でき、磁気センサーとしての感度を高めることができる微小電流検出装置が得られる。
【図面の簡単な説明】
【００１３】
【図１】図１は本発明の実施の形態１に係る微小電流検出装置を示す図である。
【図２】図２は本発明の実施の形態１に係るＮＶＣを含有する磁気センサーを示す模式図である。
【図３】図３は本発明の実施の形態１に係る微小電流検出装置の図１におけるＡ−Ａ´断面を示す図である。
【図４】図４は従来の漏洩電流検出装置を示す図である。
【図５】図５は従来の検出方法による電極間の磁場のシミュレーション図である。
【発明を実施するための形態】
【００１４】
以下、図に基づいて本発明の実施の形態を説明する。
【００１５】
実施の形態１．
【００１６】
図１は、本発明の実施形態１に係る微小電流検出装置１０を示す図である。微小電流検出装置１０は、ＮＶＣを含有する磁気センサー２０およびベクトルポテンシャル装置７０を備える。この微小電流装置１０のＮＶＣを含有する磁気センサー２０は、検査対象である電池４０の電極５０の上方において、電極５０に平行しながら、電池４０と接触せず設置されている。
【００１７】
また、図２は本発明の実施の形態１に係るＮＶＣを含有する磁気センサーを示す模式図である。図２に示すように、ＮＶＣを含有する磁気センサー２０は、ＮＶＣを含有する基板を含むセンシング部２１、入射装置２２、出射検出装置２３および磁場発生装置２４を備えている。
【００１８】
このＮＶＣを含有する磁気センサー２０の動作原理について、説明する。
【００１９】
センシング部２１のダイヤモンド基板中のＮＶＣ構造において、捕獲された電子が磁気量子数ｍｓ＝−１、０、＋１のスピン３重項状態を形成する。本来、この電子は、入射装置２２から発射された緑のレーザ光でｍｓ＝０の基底状態から励起され、高いエネルギー準位に遷移するが、その後赤い蛍光を発しながら、ｍｓ＝０基底状態に戻る。しかし、磁場発生装置２４から発する交流磁場Ｂにより、このような電子がｍｓ＝＋１または−１の基底状態へ遷移し、そこからレーザ光で励起した場合、一部の電子は光を発さず、基底状態に戻る現象もある。即ち、出射検出装置２３を用いて、出射光を検出する際、赤色光輝度の低下点を検出することができる。この現象を利用して、磁場強度を測定することができる。即ち、後述漏洩電流の磁場からの影響を受け、出射光の輝度がさらに変わるので、その変化が出射検出装置２３により検出され、磁場強度の変化がわかる。
【００２０】
また、ＮＶＣを含有する磁気センサー２０の感度を高めるためには、被測定対象磁場が交流成分を持つと感度を高められる。被測定対象に交流電圧変化を印加することで、漏洩電流は、交流電圧により変化し、それにより発生する磁場も交流成分をもち、より高精度に検出可能になる。
【００２１】
しかし、単純に電極５０の間にＡＣ電流を印加することは、従来技術のような交流磁場が発生してしまうので、その課題を解決するため、後述のベクトルポテンシャル装置７０が用いられている。
【００２２】
ベクトルポテンシャル装置７０は、例えば導線をコイル状に巻いて長いチューブ状体７１が形成されてから、このチューブ状体７１を用いて更に巻回された大きなコイル体７２である。即ちベクトルポテンシャル装置７０が閉路的なものである。また、ベクトルポテンシャル装置７０は、検査対象である電池４０を囲むような形状に形成されている。また、チューブ状体７１の直径が小さいため、図１においては、実線を使ってチューブ状体７１が表現されている。言い換えれば、電池４０の電極５０がベクトルポテンシャル装置７０のコイル体の開口面と平行になるように、設置されている。
【００２３】
図３は本発明の実施の形態１に係る微小電流検出装置の図１におけるＡ−Ａ´断面を示す図である。図３においては、チューブ状体７１を表す実線は導線である。また、導線からなる複数の円形状は、チューブ状体７１の断面を表す。図３に示すように、このようなベクトルポテンシャル装置７０中に交流電流を流すと、その大きなコイル体７２の巻回構造の内部空間においては、磁場がなく、交流電場のみ存在する状態を作りだすことができる。このため、図３に示すように、電池４０の電極５０の間に、均一の交流電場（交流電圧）を作りだすことができる。
【００２４】
このような構成により、電池４０の電極５０の間に、例えば罅や電極の剥離などにより微小電流通路６０が現れたとしても、その微小電流通路６０を通して微小の漏洩電流が生じられ、その微小電流からなる磁場に、ベクトルポテンシャル装置７０から交流成分が与えられるため、その漏洩電流が容易にＮＶＣを含有する磁気センサー２０により検出できる。
【００２５】
また、ベクトルポテンシャル装置７０において、そのチューブ状体７１からなるコイル体７２の直径Ｄは、電池４０、特に電極５０より大きいほうが好ましい。
【００２６】
また、電池４０の面積が大きい場合、ＮＶＣを含有する磁気センサー２０を走査しながら、漏洩電流を検査することも可能である。
【００２７】
また、図２においては、磁場発生装置２４と、入射装置２２、出射検出装置２３とは、ＮＶＣを含有する基板を含むセンシング部２１の異なる側に配置されていることが示しているが、同側に配置することもできる。  
【産業上の利用可能性】
【００２８】
本発明は、例えば、電池などに対して、微小電流を検出する装置に適用可能である。
【符号の説明】
【００２９】
１０  微小電流検出装置
２０  ＮＶＣを含有する磁気センサー
２１  ＮＶＣを含有する基板を含むセンシング部
２２  入射装置
２３  出射検出装置
４０  電池
５０、１５０  電極
６０、１６０  微小電流通路
７０  ベクトルポテンシャル装置
７１  チューブ状体
７２  コイル体
１２０  磁気検出素子
１３０  電源
【図１】
2019184296.tif 000003
【図２】
2019184296.tif 000004
【図３】
2019184296.tif 000005
【図４】
2019184296.tif 000006
【図５】
2019184296.tif 000007